(57)【特許請求の範囲】
【請求項１】
収容した一膳分の冷凍飯を指で押し出すための押出穴（９）が底部に設けられ、かつ、底部から開口部に向かい横断面積を滑らかに拡大する複数の略直方体形状をなす小分け容器をその上部で連結した一体型本体容器（８）と、
該一体型本体容器の全底部を同時に収納できる凹部を形成した底蓋（３）と、
前記一体型本体容器の全開口部を同時に覆うと共に、その上面に別の本冷凍庫用容器を滑り落ちないようにして重ねるための窪み（２）を形成した上蓋（１）と、を備えた、ことを特徴とする冷凍庫用容器。
【発明の詳細な説明】
【０００１】
【発明の属する技術の分野】
本発明は、主として米飯を冷蔵庫の冷凍室で冷凍保存するための冷凍庫用容器に関するものである。
【０００２】
【従来の技術】
従来より、米飯、肉類、野菜、惣菜等の食品を冷凍保存するための冷凍庫用容器は、ポリプロピレンやＡＢＳ等のプラスチック製の有底箱形状の容器であり、この容器の中に食品を入れ、その開口に蓋をし、密閉して冷凍保存していた。また、米飯を冷凍保存する場合は、米飯をおにぎり状に握り、これをプラスチック製のフィルム（ラップ）に包んで保存することもあった。
【０００３】
【発明が解決しようとする課題】
しかし、上記従来の冷凍庫用容器によっては冷凍した食品を食するときに、この食品を小分けすることは困難であるという問題を有していた。なお、小さい冷凍庫用容器でも、冷凍庫用容器中から食品を取り出すことは困難であった。
【０００４】
また、プラスチック製のフィルム（ラップ）に米飯等を小分けにして包む場合は、その手間がかかるという問題を有していた。しかも、この包んだ米飯等が不定形であるために、冷凍室内における整頓が困難であるという問題を有していた。
【０００５】
本発明は、かかる問題点を解決するために創案されたものである。すなわち、本発明の目的は、食品、特に一膳分の米飯を簡単に入れることができると共に、食するときには、収容した冷凍飯を容易に取り出すことができる冷凍庫用容器を提供することにある。
【０００６】
【課題を解決するための手段】
本発明によれば、収容した一膳分の冷凍飯を指で押し出すための押出穴（９）が底部に設けられ、かつ、底部から開口部に向かい開口部と平行方向の断面積を滑らかに拡大する複数の略直方体形状をなす小分け容器をその上部で連結した一体型本体容器（８）と、該一体型本体容器の全底部を同時に収納できる凹部を形成した底蓋（３）と、前記一体型本体容器の全開口部を同時に覆うと共に、その上面に別の本冷凍庫用容器を滑り落ちないようにして重ねるための窪み（２）を形成した上蓋（１）と、を備えた、ことを特徴とする冷凍庫用容器が提供される。
【０００７】
上記発明の構成では、一体型本体容器（８）の底部に設けた押出穴（９）から内部の冷凍飯を下から軽く押し上げるだけで、一膳分の冷凍飯を容易に取り出すことができる。米飯をこの容器に入れるときは、一体型本体容器（８）の下部を収納できる凹部を形成した底蓋（３）があるため、固体の米飯を漏れることなく容易に入れることができ、また、この底蓋（３）により、米飯が直接露出していないため清潔に冷凍しておくことができる。
また各小分け容器は、底部から開口部に向かい開口部と平行方向の断面積を滑らかに拡大する複数の略直方体形状をなしているため、冷凍前の米飯を収容しやすく、また、冷凍後には冷凍飯を容易に容器から取り外して取り出すことができる。
さらに本発明の冷凍庫用容器は、略直方体形状をなす小分け容器を連結した構造であり、また、上蓋に窪みが形成されているため、限られたスペースの冷凍庫内に幅を取らずに効率よく積み重ねて収納・整頓することができる。
【０００８】
【発明の実施の形態】
以下、本発明の好ましい実施形態を図面を参照して説明する。なお、図において共通の部材には同一の符号を付し重複した説明を省略する。図１は本発明の冷凍庫用容器の第一の実施の形態を示す分解斜視図である。図２は１個の容器を示す斜視図である。
第一の実施の形態の冷凍庫用容器は、底部に押出穴５を設けた小分け容器４と、この小分け容器４の下部を複数個同時に収納できる凹部を形成した底蓋３と、複数個の小分け容器４の上部開口を同時に覆うと共に、その上面に別の容器を重ねても滑り落ちないように窪み２を形成した上蓋１と、を備えたものである。
【０００９】
本発明の冷凍庫用容器は、その小分け容器４の底部に設けた押出穴５から内部の冷凍飯を下から軽く押し上げるだけで、一膳分の冷凍飯を取り出すことができる。米飯をこの容器に入れるときは、小分け容器４の下部を複数個同時に収納できる凹部を形成した底蓋３があるため、固体の食品は勿論のこと、液状の食品でも漏れることなく容易に入れることができる。この底蓋３により、米飯が直接露出していないため清潔に冷凍しておくことができる。
【００１０】
本発明の冷凍庫用容器は、まとめて炊いた米飯を小分け容器４に入れて冷凍し、一膳分づつ取り出して電子レンジで加熱して炊き立てのようなおいしい米飯を食することができる。また本発明の冷凍庫用容器は、残った食材、肉類、惣菜等の食品を冷凍庫の中で腐らせることなく小分けして冷凍保存するためにも用いることができる。
【００１１】
また各々小分けにして冷凍された冷凍飯は、小分け容器４のまま又は食器に移して電子レンジで加熱することができ、２〜３分ですぐに食事の支度ができる。
【００１２】
図３は本発明の冷凍庫用容器の第二の実施の形態を示す分解斜視図である。第二の実施の形態の冷凍庫用容器は、仕切り板６で複数に区切られ、かつこの区切られた底部に押出穴を設けた本体容器７と、本体容器７の下部を収納できる凹部を形成した底蓋３と、本体容器７の上部開口を覆うと共に、その上面に別の容器を重ねても滑り落ちないように窪み２を形成した上蓋１と、を備えたものである。なお、図示例では、この仕切り板６は予め固定したものについて説明してあるが、必要に応じて大小を使い分けることができるように、この仕切り板６を着脱自在に構成することも可能である。
【００１３】
図４は本発明の冷凍庫用容器の第三の実施の形態を示す分解斜視図である。図５は一体型本体容器を下から見た斜視図である。第三の実施の形態の冷凍庫用容器は、底部に押出穴９を設けた複数の容器を、その容器の上部で連結した一体型本体容器８と、この一体型本体容器８の全容器部分を同時に収納できる凹部を形成した底蓋３と、一体型本体容器８の全上部開口を同時に覆うと共に、その上面に別の容器を重ねても滑り落ちないように窪み２を形成した上蓋１と、を備えたものである。
【００１４】
このように本発明は、独立した複数個の小型容器を組み合わせて一体にした容器４、又は本体部に仕切り板６を設けた本体容器７、又は複数個の各容器の上部を連結した一体型本体容器８を用いることにより、小分けした米飯を収納しやすいようになっている。
【００１５】
各容器４，７，８，１０は、冷凍飯を取り出しやすいように、上部開口が底部より広くなるように傾斜した構造になっている。
【００１６】
図６は本発明の冷凍庫用容器の第四の実施の形態を示す分解斜視図である。第四の実施の形態の冷凍庫用容器は、底部に押出穴を設けた容器１０と、容器１０の下部を収納できる凹部を形成した底蓋３と、容器１０の上部開口を覆うと共に、その上面に別の容器を重ねても滑り落ちないように窪み２を形成した上蓋１と、を備えたものである。
【００１７】
なお、上述した例では、容器４，７，８，１０の底部の押出穴５，９は、四角形状に大きく開けたもの、及び指が通る程度の円形状に開けたものについて詳述したが、本発明はこのような実施形態に限定されない。例えば、底部の押出穴を、楕円形状や六角形状その他種々の形状に形成することができると共に、その大きさも容器底部と同大の面積から、逆に狭い面積の押出穴を形成することができ、本発明の要旨を逸脱しない範囲で種々変更できることは勿論である。
【００１８】
【発明の効果】
上述したように、本発明の冷凍庫用容器は、容器の底部に設けた押出穴から内部の冷凍飯を下から軽く押し上げるだけで、一膳分づつ取り出すことができる。一方、この容器に米飯を入れるときは、容器の下部を複数個同時に収納できる凹部を形成した底蓋があるため、米飯のこと、液状の食品でも漏れることなく容易に入れることができる。この底蓋により、米飯が直接露出していないため清潔に冷凍しておくことができる。
【００１９】
また、この冷凍庫用容器は、幅を取らない設計のために、冷蔵庫の冷凍室の中で邪魔にならず、スッキリと整頓でき、また上蓋に窪みを形成してあるので、この冷凍庫用容器を積み重ねてもずれることがない、等の優れた効果がある。
【図面の簡単な説明】
【図１】本発明の冷凍庫用容器の第一の実施の形態を示す分解斜視図である。
【図２】１個の小分け容器を示す斜視図である。
【図３】本発明の冷凍庫用容器の第二の実施の形態を示す分解斜視図である。
【図４】本発明の冷凍庫用容器の第三の実施の形態を示す分解斜視図である。
【図５】一体型本体容器を下から見た斜視図である。
【図６】本発明の冷凍庫用容器の第四の実施の形態を示す分解斜視図である。
【符号の説明】
１  上蓋
２  窪み
３  底蓋
４  小分け容器
５  小分け容器の押出穴
６  仕切り板
７  本体容器
８  一体型本体容器
９  一体型本体容器の押出穴
１０  容器
【図１】
0003598249.tif 000002
【図２】
0003598249.tif 000003
【図３】
0003598249.tif 000004
【図４】
0003598249.tif 000005
【図５】
0003598249.tif 000006
【図６】
0003598249.tif 000007